(57)【特許請求の範囲】
【請求項１】
安全を確認するためのカードと、該カードを挿入するための本体と、該本体に設けられ予め設定されたチェックすべき複数のアイテムを表示された個々の設定部を備えた設定装置と、前記カードを本体に挿入することにより全ての設定部がロックされて該カードが自動的に固定され且つ全解除操作により全ての設定部のロックが一度に解除されるロック装置とを有しており、前記設定装置は予め設定された個々の設定部によるロックを個々に解除する手段を有しており全てのロックが解除されることによりはじめてカードが本体より抜き取り可能となる手段を有するものであることを特徴とする安全カード装置。
【請求項２】
前記ロック装置、設定装置が機械的および／または電気的な手段によるものであることを特徴とする請求項１に記載の安全カード装置。
【請求項３】
前記ロックが設定部の下端に設けられた突出部とカードの孔又はノッチとの係合により行われるものであり、且つ該係合はカードを抜く方向にのみ作用するものであることを特徴とする請求項１記載の安全カード装置。
【請求項４】
前記ロック装置が、カードが本体に挿入されると、カードの後端が本体の端面から突出しないように位置設定し、同時にカードの前端によりロック装置のスプリングに撓みを与えると共に該カードの該位置を固定するものであり、予めチェックすべく設定された個々の設定部のロックを各解除することにより、ロック装置スプリングの撓みを解除しカードが取り出し可能な量本体の端面から飛び出させる手段を有していることを特徴とする請求項１記載の安全カード装置。
【発明の詳細な説明】
【０００１】
【発明の属する技術分野】
本発明は、主として家庭におけるガス、水道、電気の消忘れを防止するための安全確認装置に関するものである。
【０００２】
【従来の技術】
家庭におけるガス、水道、電気などの器具が発達して、家庭内においても種々の器具を使用し便利をは図るようになってきている。しかしながら、その一方でこれらの器具例えばアイロン、ガスストーブなどの消し忘れによる事故も急増している。これらの事故を防止するための装置も色々製品化されている。例えばコンピュータによりガス、水道、電気などの、主としてそれらの元栓及び主たる機器（風呂など）を管理するものなどがあり、それなりの効果を発揮している。
【０００３】
【発明が解決しようとする課題】
しかしながら、コンピュータによる管理はコントローラそのものも高価であるばかりでなくそのシステムを採用するためにはガス、水道、電気の各システムの機器、装置をそのコンピュータ  システムにあったコントロール可能なものに変更する必要があり、これは新築のように新規に設備する場合にはそれなりに対応できるが既成の設備に適用させることは極めて困難であり、改造費用もばかにならないものとなる。従って一般家庭においてこれらのシステムを採用することは殆ど行われていない。しかも尚この種の事故は多発しているのである。
【０００４】
【課題を解決するための手段】
本願発明は一般家庭において適用可能な安価にして取扱い易い家庭の消忘れ防止のための安全カード装置を提案するものである。即ち、これらの事故の発生の原因は使用者がその機器や器具のそばに居る場合、乃至家を離れてもその近所を離れない場合は比較的事故発生の初期に気付く場合が多くあまり大事に至らないケースが多い。しかし、消忘れのまま遠くに外出した場合は大きな事故に発展するのである。これらの知見より外出時に各種の機器乃至器具の消忘れが自動的にチェックできれば自らそれによる事故は未然に防がれることになる。外出先でアイロンの消し忘れたのではないかと心配になり早々に帰宅するようなことはしばしば起こり得ることでもある。家庭内における確認手段は簡単な方法によるものでなければ、その手段を施すことそのものが億劫になって、結果として確認すること自体を行なわなくなってしまう。また確認がされたこと容易に判断できる必要がある。これには、外出時には確認の必要な各機器、器具のＯＦＦの確認を完了した時に、はじめて手持ち可能となる安全カードにより行うものである。
【０００５】
【発明の実施の形態】
本願発明は２つの要素からなる。１つは確認のための安全カードであり、他は確認装置である。該確認装置は予め設定された機器（ガスの元栓など）または器具（アイロン、風呂の電源やガス栓など）ごとに対応して表示され、設けられたボタン、スウィッチなどの設定手段により構成される設定部と、設定部により前記カードの挿入状態にロック又はこれを解放する設定装置と、これらを一緒にまとめた本体よりなる。
【０００６】
実施形態１
図１は、本願発明の装置の１実施例の外観図である。１は安全カード装置、２は本体、３は設定装置であり、４は設定部である。この図１では設定部４は押しボタン形式の場合を示しており、各押しボタンには、確認すべきアイテム（例えばガス風呂、アイロンなど）が１つずつ対応表示されている。カードは本体のカード挿入口５より挿入することにより自動的にロックされ、予め確認することを設定した押しボタンの全て押すことによりカードのロックが完全に解除され、初めて取り出し可能となる。本体２の作動部の構造は、電気的および／または機械的に、挿入されたカードを自動的にロックし、且つ全解除操作により全てのロックを一度に解除するロック装置６と、押しボタンやスウィッチ（以下設定部という）ごとに順次ロックを解除してゆき、予め設定した全ての設定部によるロックが解除されてはじめてカードが取り出し可能となる設定装置３よりなっている。
【０００７】
図１における本体２はプラスチック材料をベースとする箱型のケースであり側面に設けられた挿入口５よりカード７を挿入および抜き取りできるようになっている。カード７はキャッシュカードと同じようなプラスチック製カードであり表面に消し忘れ防止のための本装置の操作方法や注意事項等を表示することができる。
【０００８】
設定部４は、図１では押しボタン形式の場合を示す。カード７は挿入口４より挿入することによりロック装置７により自動的にロックされる。また設定部４はそれが予めセットされていることによりロック装置７によるロックをそのまま持続しており、また設定部４のボタンを押圧することにより当該位置のロックを解除しニュートラル状態にもどす。ロック装置７による全解除操作をしない限り、１個でもセットされた設定部４によるロック解除操作がされない場合はカードは抜けない。従ってカードが抜き取られ手中にある状態では予め安全を確認すべきアイテムが全て確認されたことになる。
【０００９】
図２は設定部４の具体的構造の一実施例の一部断面拡大参考図を示す。３１はキャップ、３２は戻りバネ、３３は突き当て部、３４は作用部、３５はロックアーム係合ノブ、３６はテーパー部、３７は突出部、３８は凹部、３９はスプリング  リタン部、４０は平坦部、４１は壁部、４２はバネ、６１はロック装置６に連動する設定部４に初期ロックを与えるためのロックアーム、７はカード、７１はカードの孔である。図２において、ロック装置とリンク機構により連動するロックアーム６１はカードの前端７２がロック装置７の入り口側を通過することにより押し下げられ、ロックアーム係合ノブ３５を下方に下げ、設定部４をセットした状態に保つ。カード７は設定部４の下端に設けられたバネ４２のスリップ面を乗り越え、所定のカードの孔７１に係合する。前記設定部４をセットした状態に保つ作用は、ロックアーム係合ノブ３５が下方に下げられることにより、スプリング４２の先端部が作用部３４の下のテーパー部３６の斜面をスプリングの撓み力に逆らって進み、突出部３７を乗り越え凹部３８に係止されることにより行われる。
【００１０】
この状態ではカードはバネ４３と孔７１とにより左方向へ抜くことは出来ない。このロック状態は次の作用により解除される。即ち、設定部４のキャップ３１を押すと凹部３８に係止していたスプリング４２の先端はスプリングの撓み力によりスプリングリタン部の斜面を進み平坦部４０に達し壁部４０に突き当たる。この時該先端は平坦部４０と同一面に位置する。押圧が中止されれば設定部４は戻りバネ３２により元の位置に戻り、バネ４３の下端を孔７１より抜き上げこのロック状態を解除する。なおロックアーム６１はカード前端７２がロック装置の奥側に到達することにより、リンク装置を介してニュートラルの状態に戻される。
突き当て部３３は設定部４が戻りバネ３２により抜け出さないためのストッパーである。
【００１１】
作用部３４は１〜３ｍｍ程度の金属板により構成されており、キャップ３１の押し込み量は約５ｍｍ程度、バネ７１とカードの孔７１との係合量は約０．５〜１ｍｍ程度である。またスプリング４２及び戻りバネ３２は０．１〜０．５ｍｍ程度の鋼線製である。
【００１２】
実施形態２
図３は本発明の他の実施例にけるロック装置を示す。この場合ロック装置の作用が前例とは異なり電気的な手段によりおこなはれる。即ち、この場合はロック装置は本体２の奥にセットされており、カードが本体に挿入され突き当て６１に突き当たるとプランジャー６２は電磁石６５の内径をガイドとして右に移動し、突き当６１がケース６０の左端部に突き当たりカードの位置が決まる。この状態での位置関係ではカードの後端７３は本体２の挿入口５の面位置または少しケース内に入り込む位置となっている。
【００１３】
上記の状態で予め安全確認をすべく設定された設定部４のセットを全て解除することにより電磁石６５に電流が通電され鉄系材料であるリターン片６３を左に吸い付け移動させる。この状態ではカードの後端７３は挿入口５の面位置より突出し抜き取ることが可能となる。この場合装置そのものは比較的単純になるが、他に電源を必要としその電源の安全保障をすることが必要となる。突き当６１、プランジャー６２、ケース６０はプラスチック製である。
【００１４】
【発明の効果】
本発明の安全カード装置により大掛かりな設備や改造をすることなしに、日常的に安全確認を要求される事柄に対して安価にこれを行うことができる。
【図面の簡単な説明】
【図１】本発明の１実施例の外観図である。
【図２】本発明の１設定部４の具体的実施例の一部断面拡大参考図である。
【図３】本発明の他の実施例のロック装置を示す断面図である。
【符号の説明】
１    安全カード装置
２    本体
３    設定装置
４    設定部
５    挿入口
６    ロック装置
７    安全カード
３１    キャップ
３２    戻りバネ
３３    突き当て部
３４    作用部
３５    ロックアーム係合用ノブ
３６    テーパー部
３７    突出部
３８    凹部
３９    スプリング  リタン部
４０    平坦部
４１    壁部
４２    スプリング
４３    バネ
６１    ロックアーム
７１    孔
７２    カードの前端
７３    カードの後端
【図１】
0003763106.tif 000002
【図２】
0003763106.tif 000003
【図３】
0003763106.tif 000004